(57)【要約】【課題】テーブルを挟んで対面するユーザ同士が話を聞き取りやすく、外部への音漏れを抑制することができるパーティションを提供する。【解決手段】本発明は、テーブル５の左右に配置されるパーティション１であって、平面視で、テーブル５の前端５ａ及び後端５ｂがそれぞれ位置する一対の焦点Ｆ１，Ｆ２を有する仮想楕円Ｅの円周の一部を構成すると共に、仮想楕円Ｅの短軸方向Ｘで対向する第１パーティション２及び第２パーティション３を備え、第１パーティション２及び第２パーティション３の間には、仮想楕円Ｅの長軸方向Ｙで対向する一対の開口が形成されている。【選択図】図２
2014237935.tif 000002
【特許請求の範囲】
【請求項１】
テーブルの左右に配置されるパーティションであって、
平面視で、前記テーブルの前後端がそれぞれ含まれる一対の焦点範囲を有する仮想楕円の円周の一部を構成すると共に、前記仮想楕円の短軸方向で対向する第１パーティション及び第２パーティションを備え、
前記第１パーティション及び前記第２パーティションの間には、前記仮想楕円の長軸方向で対向する一対の開口が形成されていることを特徴とするパーティション。
【請求項２】
前記第１パーティション及び前記第２パーティションは、前記仮想楕円の長軸方向の一方の端部が他方の端部よりも突出していることを特徴とする請求項１に記載のパーティション。
【請求項３】
前記第１パーティション及び前記第２パーティションは、前記仮想楕円が鉛直方向に延在してなる仮想楕円柱の側面の一部を構成していることを特徴とする請求項１又は２に記載のパーティション。
【発明の詳細な説明】
【技術分野】
【０００１】
本発明は、テーブルの周囲に配置されるパーティションに関する。
【背景技術】
【０００２】
従来から、コミュニケーション空間の形成に関しては様々な提案がなされている。例えば、特許文献１に記載の車室内構造は、一対の車両用シートにそれぞれ着座する乗員の頭部の位置を集点とする仮想楕円に沿った凹面状の天井部を備え、それぞれの乗員の音声が相手側の乗員へ天井部で反射され収束することにより、コミュニケーションを取りやすくしている。
【０００３】
また、特許文献２に記載のワークスペースでは、楕円状の壁を備え、楕円の集点に位置する人や装置から発せられる音声を壁の反射を利用して他方の集点に位置する人に収束させることで音声を聞き取りやすい空間を形成している。
【先行技術文献】
【特許文献】
【０００４】
【特許文献１】特開２００９−１０１８２９号公報
【特許文献２】米国特許第６，５２０，２８０号公報
【発明の概要】
【発明が解決しようとする課題】
【０００５】
ところで、近年、銀行や薬局、オフィスなどでスピーチプライバシに関する要求が高まってきており、各種の対策が広く検討されている。前述した従来の閉鎖的な空間に限られず、パーティションで区切られただけの空間においても話の聞き取りやすさとスピーチプライバシの確保の両立が望まれている。
【０００６】
そこで、本発明は、テーブルを挟んで対面するユーザ同士が話を聞き取りやすく、外部への音漏れを抑制することができるパーティションを提供することを目的とする。
【課題を解決するための手段】
【０００７】
上記課題を解決するため、本発明は、テーブルの左右に配置されるパーティションであって、平面視で、テーブルの前後端がそれぞれ含まれる一対の焦点範囲を有する仮想楕円の円周の一部を構成すると共に、仮想楕円の短軸方向で対向する第１パーティション及び第２パーティションを備え、第１パーティション及び第２パーティションの間には、仮想楕円の長軸方向で対向する一対の開口が形成されていることを特徴とする。
【０００８】
本発明に係るパーティションでは、テーブルの前後端が仮想楕円の焦点範囲に含まれるので、テーブルを挟んで対面するユーザの頭部は仮想楕円の焦点範囲内又はその近傍に位置することとなる。そして、仮想楕円の短軸方向で対向する第１パーティション及び第２パーティションは、仮想楕円の円周の一部を構成しているので、一方の集点範囲で発せられた音声は他方の焦点範囲に集音され、ユーザ同士の話を聞き取りやすくすることができる。その結果、このパーティション内では、ユーザの発声の音量が小さくなることで、隣接するブースや背後のエリアなどに対する音漏れが抑制され、スピーチプライバシの確保が容易となる。
【０００９】
また、本発明に係るパーティションにおいて、第１パーティション及び第２パーティションは、仮想楕円の長軸方向の一方の端部が他方の端部よりも突出していてもよい。
このパーティションによれば、例えば銀行や薬局など話し手（店側）と聞き手（客側）の席が決まっている場合に、突出する端部側を聞き手の席とすることにより、話し手の発した音声を突出する端部によって話し手側に反射させることができ、聞き手側の背後のエリア（例えば銀行等においては待合エリア）に音漏れが生じることを効果的に抑制することができる。
【００１０】
また、本発明に係るパーティションにおいて、第１パーティション及び第２パーティションは、仮想楕円が鉛直方向に延在してなる仮想楕円柱の側面の一部を構成していてもよい。
このパーティションによれば、話の聞き取りやすさ及び音漏れの抑制を実現しながら、パーティションの形状を簡素化することができ、製造コストの低減に有利である。
【発明の効果】
【００１１】
本発明に係るパーティションによれば、テーブルを挟んで対面するユーザ同士が話を聞き取りやすく、外部への音漏れを抑制することができる。
【図面の簡単な説明】
【００１２】
【図１】本実施形態に係るパーティションを示す斜視図である。
【図２】本実施形態に係るパーティションを示す平面図である。
【図３】本実施形態に係るパーティションを示す右側面図である。
【図４】本実施形態に係るパーティションを示す左側面図である。
【図５】本実施形態に係るパーティションを示す正面図である。
【図６】本実施形態に係るパーティションを示す背面図である。
【図７】本実施形態に係るパーティションを示す底面図である。
【図８】従来のパーティションを示す平面図である。
【図９】従来のパーティションにおける発声時の音の伝播状態を示す図である。
【図１０】図９より僅かに後の音の伝播状態を示す図である。
【図１１】図１０より僅かに後の音の伝播状態を示す図である。
【図１２】本実施形態に係るパーティションにおける発声時の音の伝播状態を示す図である。
【図１３】図１２より僅かに後の音の伝播状態を示す図である。
【図１４】図１３より僅かに後の音の伝播状態を示す図である。
【発明を実施するための形態】
【００１３】
以下、本発明の好適な実施形態について、図面を参照して詳細に説明する。
【００１４】
図１に示す本実施形態に係るパーティション１は、テーブル５の左右に配置されて内側に対話のためのスペースを形成するものであり、第１パーティション２及び第２パーティション３を有している。第１パーティション２及び第２パーティション３の素材は特に限定されないが、音の反射性を有することが好ましい。
【００１５】
図２は、本実施形態に係るパーティション１を示す平面図である。図２に示されるように、第１パーティション２及び第２パーティション３は、仮想楕円Ｅに沿って湾曲するように形成されており、仮想楕円Ｅの円周の一部を構成している。仮想楕円Ｅとは、平面視でテーブル５の前端５ａ及び後端５ｂとそれぞれ重なる一対の集点Ｆ１，Ｆ２を有する楕円である。
【００１６】
図２に、仮想楕円Ｅの短軸Ｘと長軸Ｙを示す。以下、短軸Ｘの延在方向を短軸方向Ｘ、長軸Ｙの延在方向を長軸方向Ｙとして説明する。短軸方向Ｘは、第１パーティション２及び第２パーティション３の対向方向に相当する。また、長軸方向Ｙは、一対の焦点Ｆ１，Ｆ２の対向方向に相当する。仮想楕円Ｅの大きさは特に限定されないが、例えば短軸Ｘの長さを約６００ｍｍ、長軸Ｙの長さを約６４０ｍｍとすることができる。
【００１７】
第１パーティション２及び第２パーティション３は、長軸Ｙを挟んで左右対称な形状を有している。第１パーティション２及び第２パーティション３は、その内面２ａ，３ａは仮想楕円Ｅに沿って湾曲しており、内部のユーザの音声を内側に反射する。これらの内面２ａ，３ａには、同じ仮想楕円Ｅに沿って湾曲する側面を有するテーブル５が接続されている。テーブル５の素材は特に限定されず、音の反射性又は吸音性の何れを有していてもよい。テーブル５は、例えば横幅を約６００ｍｍ、前後幅を約８００ｍｍ、床からの高さを約７２０ｍｍとすることができる。
【００１８】
第１パーティション２及び第２パーティション３の間には、長軸方向Ｙで対向する一対の開口が形成されている。第１パーティション２及び第２パーティション３の大きさは特に限定されないが、長軸方向Ｙにおける幅を約９８０ｍｍ、高さを１４００ｍｍとすることができる。
【００１９】
本実施形態において、テーブル５の前端５ａ及び後端５ｂは、短軸方向Ｘに延在する直線状の端部である。直線状のテーブル５の前端５ａ及び後端５ｂの中央部分に集点Ｆ１，Ｆ２がそれぞれ位置している。なお、必ずしもテーブル５の前端５ａ及び後端５ｂの中央部分に集点Ｆ１，Ｆ２が位置する必要はなく、所定の範囲内に位置すればよい。この点について詳しくは後述する。
【００２０】
第１パーティション２及び第２パーティション３は、テーブル５の前端５ａに対応する端部２ｂ，３ｂと、テーブル５の後端５ｂに対応する端部２ｃ，３ｃと、を有している。端部２ｂ，３ｂは、直線状のテーブル５の前端５ａの延長線上に位置しており、端部２ｂ，３ｂと前端５ａは同じ鉛直平面に含まれる。
【００２１】
一方、端部２ｃ，３ｃは、テーブル５の後端５ｂから突出している。端部２ｃ，３ｃは、端部２ｂ，３ｂよりも突出しており、仮想楕円Ｅに沿って焦点Ｆ２の後方に回り込むように延在している。このような構成により、端部２ｃ，３ｃの間の開口は、端部２ｂ，３ｂの間の開口よりも狭い幅となっている。
【００２２】
このパーティション１では、端部２ｂ，３ｂ側の開口に話し手の椅子が配置され、端部２ｃ，３ｃ側の開口に聞き手の椅子が配置される。話し手とは、例えば銀行や薬局その他のオフィスにおける店員など、一般的に説明などを行う側の人間である。聞き手とは、例えば銀行や薬局その他のオフィスに訪問したお客など、一般的に説明などを受ける側の人間である。
【００２３】
ここで、図３はパーティション１を示す右側面図、図４はパーティション１を示す左側面図である。図３及び図４において鉛直軸Ｚを示す。また、図５はパーティション１を示す正面図、図６はパーティション１を示す背面図、図７はパーティション１を示す底面図である。図２〜図６に、話し手の頭部の位置を示す発声点Ｓ、聞き手の頭部の位置を示す受聴点Ｌを示す。ここでは、発声点Ｓと受聴点Ｌを同じ高さと仮定する。
【００２４】
図２〜図６に示されるように、テーブル５の前側に着席する話し手の発声点Ｓはテーブル５の前端５ａの中央上方に位置している。同様に、テーブル５の後側に着席する聞き手の受聴点Ｌはテーブル５の後端５ｂの中央上方に位置している。また、図２に示されるように、平面視で、話し手の発声点Ｓは仮想楕円Ｅの集点Ｆ１と重なり、聞き手の受聴点Ｌは仮想楕円Ｅの集点Ｆ１と重なっている。なお、発声点Ｓ及び受聴点Ｌと集点Ｆ１，Ｆ２とは必ずしも平面視で重なるように位置する必要はない。
【００２５】
また、図１〜図７に示されるように、第１パーティション２及び第２パーティション３は、仮想楕円Ｅを鉛直方向に延ばして形成される仮想楕円柱に沿って湾曲している。すなわち、第１パーティション２及び第２パーティション３は、仮想楕円Ｅを底面とする仮想楕円柱に沿って鉛直方向に延在しており、仮想楕円柱の側面の一部を構成している。
【００２６】
次に、従来のパーティション及びその音の伝播状況について説明する。図８は、従来のパーティションを示す平面図である。図８に示されるように、従来のパーティションは、長方形のテーブル１２の左右に配置された平板状の第１パーティション１０及び第２パーティション１１を有している。
【００２７】
第１パーティション１０及び第２パーティション１１は、テーブル１２の前端１２ａに対応する端部１０ｂ，１１ｂと、テーブル１２の後端１２ｂに対応する端部１０ｃ，１１ｃと、を有している。端部１０ｂ，１１ｂは、直線状の前端１２ａの延長線上に位置している。一方、端部１０ｃ，１１ｃは、テーブル１２の後端１２ｂから長軸方向Ｙに突出している。この従来のパーティションにおいて、話し手の発声点Ｓの位置をテーブル１２の前端１２ａの中央上方、聞き手の受聴点Ｌの位置をテーブル１２の後端１２ｂとする。
【００２８】
ここで、図９は、従来のパーティションにおける発声時の音の伝播状態を示す図である。図１０は、図９より僅かに後の音の伝播状態を示す図である。図１１は、図１０より僅かに後の音の伝播状態を示す図である。図９〜図１１では、話し手の発声点Ｓの音源としてガウシアンパルスを与えた場合の音の伝播状態（反射状態）の様子をＦＤＴＤ［Finite-difference time-domain method］法を用いて可視化している。音圧の高い領域をＨｉ、音圧の低い領域をＬｏとして示す。
【００２９】
図９〜図１１に示されるように、従来のパーティションにおいては、話し手の発声点Ｓから生じた音は、聞き手の受聴点Ｌに緩やかに収束した後、受聴点Ｌの背後に抜けているのが分かる。
【００３０】
続いて、図１２は、本実施形態に係るパーティション１における発声時の音の伝播状態を示す図である。図１３は、図１２より僅かに後の音の伝播状態を示す図である。図１４は、図１３より僅かに後の音の伝播状態を示す図である。図１２〜図１４においても、話し手の発声点Ｓの音源としてガウシアンパルスを与えた場合の音の伝播状態（反射状態）の様子をＦＤＴＤ法により可視化している。音圧の高い領域をＨｉ、音圧の低い領域をＬｏとして示す。
【００３１】
図１２〜図１４に示されるように、本実施形態に係るパーティション１では、従来のパーティションと比べて、聞き手の受聴点Ｌに十分な音の集音が生じている。更に、話し手の発声点Ｓから生じた音は、聞き手の受聴点Ｌに収束した後、話し手の背後に向かって反射していることが分かる。
【００３２】
なお、話し手の背後に壁がある場合には、壁の再反射により聞き手の背後（すなわち銀行などにおける待合エリア側）に音が向かってしまうため、壁の前に吸音材を配置することが好ましい。
【００３３】
図１２〜図１４に示す本実施形態に係るパーティション１の音の伝播状況と、図９〜図１１に示す従来のパーティションの音の伝播状況とを比較すると、本実施形態に係るパーティション１は従来のパーティションと比べて受聴点Ｌに発声点Ｓからの音波が伝搬しやすく、聞き手の背後には伝搬しにくいことが分かる。
【００３４】
以上説明した本実施形態に係るパーティション１によれば、平面視でテーブル５の前端５ａ及び後端５ｂが仮想楕円Ｅの焦点Ｆ１，Ｆ２に位置するので、テーブル５を挟んで対面する話し手及び聞き手の頭部は仮想楕円Ｅの集点Ｆ１，Ｆ２又はその近傍に位置することとなる。そして、仮想楕円Ｅの短軸方向Ｘで対向する第１パーティション２及び第２パーティション３は、仮想楕円Ｅの円周の一部を構成しているので、一方の集点Ｆ１で発せられた音声は他方の集点Ｆ２に集音され、互いの話を聞き取りやすくすることができる。その結果、このパーティション１内では、発声の音量が小さくなることで、隣接するブースや背後のエリアなどに対する音漏れが抑制され、スピーチプライバシの確保が容易となる。
【００３５】
また、このパーティション１では、第１パーティション２及び第２パーティション３の長軸方向Ｙにおける一方の側の端部２ｃ，３ｃが他方の端部２ｂ，３ｂよりも突出していることで、突出する端部２ｃ，３ｃの間の開口を聞き手側の席とすることにより、話し手の音声が端部２ｃ，３ｃの内面で反射されるので、聞き手側の背後の待合エリアなどに音漏れが生じることを効果的に抑制することができる。
【００３６】
更に、このパーティション１では、仮想楕円Ｅが鉛直方向に延在してなる仮想楕円柱の側面の一部を構成するように第１パーティション２及び第２パーティション３が湾曲して形成されているので、三次元的に湾曲する場合と比べて、話の聞き取りやすさ及び音漏れの抑制を実現しながらも、構成を簡素化することができ、製造コストの低減に有利である。
【００３７】
以上、本発明の好適な実施形態について説明したが、本発明は上述した実施形態に限定されるものではない。
【００３８】
例えば、テーブル５の前端５ａ及び後端５ｂは、必ずしも平面視で集点Ｆ１，Ｆ２と重なる場所に位置する必要はなく、楕円の集音効果などが適切に得られる領域に位置すればよい。この領域が特許請求の範囲に記載の焦点範囲に相当する。具体的には、平面視で集点Ｆ１，Ｆ２をそれぞれ中心とする半径３４ｃｍの領域を焦点範囲とすることができる。すなわち、テーブル５の前端５ａ及び後端５ｂの中央部分が平面視で集点Ｆ１，Ｆ２をそれぞれ中心とする半径３４ｃｍの領域に含まれていればよい。焦点範囲は、集点Ｆ１，Ｆ２をそれぞれ中心とする半径１７ｃｍの領域であることがより好ましい。これらの焦点範囲は、一般的な男性又は女性の声の波長の二分の一に相当するため、集点Ｆ１，Ｆ２に収束する音圧との差が小さい範囲であり、十分な集音効果を得ることができる。
【００３９】
また、第１パーティション２及び第２パーティション３が円周の一部を構成する仮想楕円Ｅの形状は、図示したものに限られない。集点Ｆ１，Ｆ２の距離が短く、より円に近い楕円としてもよく、集点Ｆ１，Ｆ２の距離が長い扁平な楕円とすることもできる。また、必ずしも話し手側と聞き手側とを区別する必要はなく、第１パーティション２及び第２パーティション３の一方の端部２ｃ，３ｃが他方の端部２ｂ，３ｂより突出することなく、短軸Ｘに対して対称な形状としてもよい。
【００４０】
更に、第１パーティション２及び第２パーティション３は、仮想楕円柱の側面の一部を構成する形状に限られない。例えば、第１パーティション２及び第２パーティション３の上側は、互いに近づくように曲げられていてもよい。この場合、第１パーティション２及び第２パーティション３の上側は、発声点Ｓ及び受聴点Ｌを集点とする楕円の一部をなすように曲がっていてもよい。また、第１パーティション２及び第２パーティション３は、上方で接続して天井を形成してもよい。この場合、発声点Ｓ及び受聴点Ｌを集点とする三次元の楕円体をベースとした形状を採用することもできる。
【符号の説明】
【００４１】
１…パーティション  ２…第１パーティション  ２ａ，３ａ…内面  ２ｂ，３ｂ…端部（一方の端部）  ２ｃ，３ｃ…端部（他方の端部）  ３…第２パーティション  ５…テーブル  ５ａ…前端  ５ｂ…後端  １０…第１パーティション  １１…第２パーティション  １２…テーブル  Ｆ１，Ｆ２…焦点  Ｌ…受聴点  Ｓ…発声点  Ｘ…短軸  Ｙ…長軸  Ｚ…鉛直軸
【図１】
2014237935.tif 000003
【図２】
2014237935.tif 000004
【図３】
2014237935.tif 000005
【図４】
2014237935.tif 000006
【図５】
2014237935.tif 000007
【図６】
2014237935.tif 000008
【図７】
2014237935.tif 000009
【図８】
2014237935.tif 000010
【図９】
2014237935.tif 000011
【図１０】
2014237935.tif 000012
【図１１】
2014237935.tif 000013
【図１２】
2014237935.tif 000014
【図１３】
2014237935.tif 000015
【図１４】
2014237935.tif 000016